(57)【要約】  本発明はページング処理方法、ネットワーク装置、ユーザ装置（ＵＥ）、及びコンピュータ記憶媒体を開示し、該ページング処理方法は、ユーザ装置（ＵＥ）の端末タイプ、及び前記ＵＥの所在する位置に対応するセル識別子情報又は基地局識別子情報を取得することと、前記ＵＥの端末タイプが静止タイプである場合、前記ＵＥの所在する位置に対応する前記セル識別子情報又は基地局識別子情報に基づいて、前記ＵＥに対するページング範囲を決定することと、を含む。
2021511738.tif 000002
【特許請求の範囲】
【請求項１】
ページング処理方法であって、
ユーザ装置（ＵＥ）の端末タイプ、及び前記ＵＥの所在する位置に対応するセル識別子情報又は基地局識別子情報を取得することと、
前記ＵＥの端末タイプが静止タイプである場合、前記ＵＥの所在する位置に対応する前記セル識別子情報又は基地局識別子情報に基づいて、前記ＵＥに対するページング範囲を決定することと、を含むページング処理方法。
【請求項２】
前記ユーザ装置（ＵＥ）の端末タイプ、及び前記ＵＥの所在する位置に対応するセル識別子情報又は基地局識別子情報を取得することは、
前記ＵＥがネットワークに初期登録する時に、前記ＵＥのアタッチ要求を通して前記ＵＥの端末タイプを取得し、そして前記アタッチ要求を通して前記ＵＥの所在する前記セル識別子情報又は基地局識別子情報を取得することを含む請求項１に記載の方法。
【請求項３】
前記ユーザ装置（ＵＥ）の端末タイプ、及び前記ＵＥの所在する位置に対応するセル識別子情報又は基地局識別子情報を取得することは、
前記ＵＥが位置更新を開始する時に、前記ＵＥの位置更新要求を通して前記ＵＥの端末タイプを取得し、そして前記位置更新要求を通して前記ＵＥの所在する前記セル識別子情報又は基地局識別子情報を取得することを含む請求項１に記載の方法。
【請求項４】
前記ユーザ装置（ＵＥ）の端末タイプ、及び前記ＵＥの所在する位置に対応するセル識別子情報又は基地局識別子情報を取得することは、
前記ＵＥがＲＲＣ接続を確立する時に、前記ＵＥの所在する基地局から送信された前記ＵＥの端末タイプ、及びＵＥの所在するセル識別子情報又は基地局識別子情報を受信し、前記基地局はＵＥから送信されたＲＲＣシグナリング又はＭＡＣ  ＣＥを通して前記端末タイプを取得し、そして前記ＵＥの所在するセル識別子情報又は基地局識別子情報を取得することを含む請求項１に記載の方法。
【請求項５】
前記方法は更に、
前記ＵＥの端末タイプ、及び前記ＵＥの所在する位置に対応するセル識別子情報又は基地局識別子情報を、前記ＵＥのコンテキスト情報の一部情報として保存することを含む請求項２〜４のいずれか１項に記載の方法。
【請求項６】
前記ＵＥの所在する位置に対応するセル識別子情報又は基地局識別子情報に基づいて、前記ＵＥに対するページング範囲を決定することは、
記憶された識別子情報が前記セル識別子情報である場合、ページングの指示メッセージを送信するように前記セルの所在する基地局をトリガし、そして前記指示メッセージに前記セル識別子情報を含め、前記指示メッセージによって、前記セル識別子情報に対応するセルにおいてページングメッセージを送信するように前記基地局に指示することを含む請求項１に記載の方法。
【請求項７】
前記ＵＥの所在する位置に対応するセル識別子情報又は基地局識別子情報に基づいて、前記ＵＥに対するページング範囲を決定することは、
記憶された識別子情報が前記基地局識別子情報である場合、ページングをトリガする指示メッセージを前記基地局に送信し、ページングをトリガする前記指示メッセージは全てのセルにおいてページングメッセージを送信するように前記基地局に指示することに用いられることを含む請求項１に記載の方法。
【請求項８】
前記方法は更に、
タイマーを設定し、前記タイマーがタイムアウトすると、セル識別子情報が変化したかどうかを再検出するように前記ＵＥをトリガし、又は現在のセルに対応する基地局識別子情報が変化したかどうかを検出するように前記ＵＥをトリガすることを含む請求項１に記載の方法。
【請求項９】
ページング処理方法であって、
前記ＵＥの端末タイプ、及び前記ＵＥの所在する位置に対応するセル識別子情報又は基地局識別子情報をネットワーク側に報告することを含むページング処理方法。
【請求項１０】
前記ＵＥの端末タイプ、及び前記ＵＥの所在する位置に対応するセル識別子情報又は基地局識別子情報をネットワーク側に報告することは、
前記ＵＥがネットワークに初期登録する時に、前記ＵＥの端末タイプ、前記ＵＥの所在する位置に対応する前記セル識別子情報又は基地局識別子情報をアタッチ要求に追加することと、
前記アタッチ要求をネットワーク側に送信することと、を含む請求項９に記載の方法。
【請求項１１】
前記ＵＥの端末タイプ、及び前記ＵＥの所在する位置に対応するセル識別子情報又は基地局識別子情報をネットワーク側に報告することは、
前記ＵＥが位置更新を開始する時に、前記ＵＥの端末タイプ、前記ＵＥの所在する位置に対応する前記セル識別子情報又は基地局識別子情報を位置更新要求に追加することと、
前記位置更新要求をネットワーク側に送信することと、を含む請求項９に記載の方法。
【請求項１２】
前記ＵＥの端末タイプ、及び前記ＵＥの所在する位置に対応するセル識別子情報又は基地局識別子情報をネットワーク側に報告することは、
前記ＵＥがＲＲＣ接続を確立する時に、ＲＲＣシグナリング又はＭＡＣ  ＣＥを通して、端末タイプ、及び前記ＵＥの所在するセル識別子情報又は基地局識別子情報を基地局側に送信し、前記基地局は端末タイプ、及び前記ＵＥの所在するセル識別子情報又は基地局識別子情報を前記ネットワーク側に送信して保存させることに用いられることを含む請求項９に記載の方法。
【請求項１３】
前記方法は更に、
記憶されたのがセル識別子情報である場合、ＵＥは現在セルのセル識別子情報と記憶されたセル識別子情報が異なることを検出すると、ＵＥが登録又は位置更新処理を再開始して更新後のセル識別子情報をネットワーク側に送信し、又は、ＲＲＣ接続を再開始して、端末タイプ、及び更新後のセル識別子情報をネットワーク側に再送することを含む請求項９に記載の方法。
【請求項１４】
前記方法は更に、
記憶されたのが基地局識別子情報である場合、ＵＥは現在基地局の基地局識別子情報と記憶された基地局識別子情報が異なることを検出すると、登録又は位置更新処理を再開始して更新後の基地局識別子情報をネットワーク側に送信し、又は、ＲＲＣ接続を再開始して、端末タイプ、及び更新後の基地局識別子情報をネットワーク側に再送することを含む請求項９に記載の方法。
【請求項１５】
前記方法は更に、
タイマーを設定し、前記タイマーがタイムアウトすると、セル識別子情報が変化したかどうかを再検出するように前記ＵＥをトリガし、又は現在のセルに対応する基地局識別子情報が変化したかどうかを検出するように前記ＵＥをトリガすることを含む請求項１３又は１４に記載の方法。
【請求項１６】
ネットワーク装置であって、
ユーザ装置（ＵＥ）の端末タイプ、及び前記ＵＥの所在する位置に対応するセル識別子情報又は基地局識別子情報を取得する第１通信ユニットと、
前記ＵＥの端末タイプが静止タイプである場合、前記ＵＥの所在する位置に対応する前記セル識別子情報又は基地局識別子情報に基づいて、前記ＵＥに対するページング範囲を決定する第１処理ユニットと、を備えるネットワーク装置。
【請求項１７】
第１通信ユニットは、前記ＵＥがネットワークに初期登録する時に、前記ＵＥのアタッチ要求を通して前記ＵＥの端末タイプを取得し、そして前記アタッチ要求を通して前記ＵＥの所在する前記セル識別子情報又は基地局識別子情報を取得する請求項１６に記載のネットワーク装置。
【請求項１８】
第１通信ユニットは、前記ＵＥが位置更新を開始する時に、前記ＵＥの位置更新要求を通して前記ＵＥの端末タイプを取得し、そして前記位置更新要求を通して前記ＵＥの所在する前記セル識別子情報又は基地局識別子情報を取得する請求項１６に記載のネットワーク装置。
【請求項１９】
前記第１通信ユニットは、前記ＵＥがＲＲＣ接続を確立する時に、前記ＵＥの所在する基地局から送信された前記ＵＥの端末タイプ、及びＵＥの所在するセル識別子情報又は基地局識別子情報を受信し、前記基地局はＵＥから送信されたＲＲＣシグナリング又はＭＡＣ  ＣＥを通して前記端末タイプを取得し、そして前記ＵＥの所在するセル識別子情報又は基地局識別子情報を取得する請求項１６に記載のネットワーク装置。
【請求項２０】
前記第１処理ユニットは、前記ＵＥの端末タイプ、及び前記ＵＥの所在する位置に対応するセル識別子情報又は基地局識別子情報を、前記ＵＥのコンテキスト情報の一部情報として保存する請求項１７〜１９のいずれか１項に記載のネットワーク装置。
【請求項２１】
前記第１処理ユニットは、記憶された識別子情報が前記セル識別子情報である場合、ページングの指示メッセージを送信するように前記セルの所在する基地局をトリガし、そして前記指示メッセージに前記セル識別子情報を含め、前記指示メッセージによって、前記セル識別子情報に対応するセルにおいてページングメッセージを送信するように前記基地局に指示する請求項１６に記載のネットワーク装置。
【請求項２２】
前記第１処理ユニットは、記憶された識別子情報が前記基地局識別子情報である場合、ページングをトリガする指示メッセージを前記基地局に送信し、ページングをトリガする前記指示メッセージは、全てのセルにおいてページングメッセージを送信するように前記基地局に指示することに用いられる請求項１６に記載のネットワーク装置。
【請求項２３】
前記第１処理ユニットは、タイマーを設定し、前記タイマーがタイムアウトすると、セル識別子情報が変化したかどうかを再検出するように前記ＵＥをトリガし、又は現在のセルに対応する基地局識別子情報が変化したかどうかを検出するように前記ＵＥをトリガする請求項１６に記載のネットワーク装置。
【請求項２４】
ＵＥであって、
前記ＵＥの端末タイプ、及び前記ＵＥの所在する位置に対応するセル識別子情報又は基地局識別子情報をネットワーク側に報告する第２通信ユニットを備えるＵＥ。
【請求項２５】
前記ＵＥは更に、
ネットワークに初期登録する時に、前記ＵＥの端末タイプ、前記ＵＥの所在する位置に対応する前記セル識別子情報又は基地局識別子情報をアタッチ要求に追加する第２処理ユニットを備え、
前記第２通信ユニットは前記アタッチ要求をネットワーク側に送信する請求項２４に記載のＵＥ。
【請求項２６】
前記ＵＥは更に、
位置更新を開始する時に、前記ＵＥの端末タイプ、前記ＵＥの所在する位置に対応する前記セル識別子情報又は基地局識別子情報を位置更新要求に追加する第２処理ユニットを備え、
前記第２通信ユニットは前記位置更新要求をネットワーク側に送信する請求項２４に記載のＵＥ。
【請求項２７】
前記第２通信ユニットは、ＲＲＣ接続を確立する時に、ＲＲＣシグナリング又はＭＡＣ  ＣＥを通して、端末タイプ、及び前記ＵＥの所在するセル識別子情報又は基地局識別子情報を基地局側に送信し、前記基地局は端末タイプ、及び前記ＵＥの所在するセル識別子情報又は基地局識別子情報を前記ネットワーク側に送信して保存させることに用いられる請求項２４に記載のＵＥ。
【請求項２８】
前記ＵＥは更に、
記憶されたのがセル識別子情報である場合、現在セルのセル識別子情報と記憶されたセル識別子情報が異なることを検出すると、登録又は位置更新処理を再開始し、第２通信ユニットを通してネットワーク側に更新後のセル識別子情報を送信し、又は、ＲＲＣ接続を再開始して、第２通信ユニットを通して端末タイプ、及び更新後のセル識別子情報をネットワーク側に再送する第２処理ユニットを備える請求項２４に記載のＵＥ。
【請求項２９】
前記ＵＥは更に、
記憶されたのが基地局識別子情報である場合、現在基地局の基地局識別子情報と記憶された基地局識別子情報が異なることを検出すると、登録又は位置更新処理を再開始し、第２通信ユニットを通してネットワーク側に更新後の基地局識別子情報を送信し、又は、ＲＲＣ接続を再開始して、第２通信ユニットを通して端末タイプ、及び更新後の基地局識別子情報をネットワーク側に再送する第２処理ユニットを備える請求項２４に記載のＵＥ。
【請求項３０】
前記第２処理ユニットは、タイマーを設定し、前記タイマーがタイムアウトすると、セル識別子情報が変化したかどうかを再検出するように前記ＵＥをトリガし、又は現在のセルに対応する基地局識別子情報が変化したかどうかを検出するように前記ＵＥをトリガする請求項２８又は２９に記載のＵＥ。
【請求項３１】
ネットワーク装置であって、プロセッサ、及びプロセッサにおいて実行できるコンピュータプログラムを記憶するためのメモリを備え、
前記プロセッサは、前記コンピュータプログラムが実行される時、請求項１〜８のいずれか１項に記載の方法のステップを実行することに用いられるネットワーク装置。
【請求項３２】
ＵＥであって、プロセッサ、及びプロセッサにおいて実行できるコンピュータプログラムを記憶するためのメモリを備え、
前記プロセッサは、前記コンピュータプログラムが実行される時、請求項９〜１５のいずれか１項に記載の方法のステップを実行することに用いられるＵＥ。
【請求項３３】
コンピュータ記憶媒体であって、コンピュータ実行可能な命令が記憶され、前記コンピュータ実行可能な命令が実行される時、請求項１〜１５のいずれか１項に記載の方法のステップが実現されるコンピュータ記憶媒体。
【発明の詳細な説明】
【技術分野】
【０００１】
本発明は情報処理技術分野に関し、特にページング処理方法、ネットワーク装置、ユーザ装置（ＵＥ）、及びコンピュータ記憶媒体に関する。
【背景技術】
【０００２】
５ＧのＵＥはＬＴＥと類似して、まずコアネットワークにアタッチ登録し、その後コアネットワークにＵＥのコンテキスト情報が存在し、そのうちの１つの情報は位置エリア情報、即ちＴＡ  ｌｉｓｔであり、該ＵＥのページングが存在する場合、コアネットワークはＴＡの所在する全ての基地局でページングメッセージを送信し、そしてこれらの基地局が該基地局での全てのセルで該ＵＥに対するページングを送信するようにトリガする。従って、１つのＵＥのページング範囲は、少なくとも１つのＴＡ範囲内の全てのセルでページングメッセージを送信することである。しかし、５Ｇネットワークにとって、大量なモノのインターネット端末が存在する可能性があり、この種類の端末は１つのセルにとどまるだけで、移動性は存在しない。従って、この種類の端末に対して、従来の方式でＴＡ範囲内でページングを送信すれば、無線リソースの大きな浪費を招く。
【発明の概要】
【発明が解決しようとする課題】
【０００３】
上記の技術課題を解決するために、本発明の実施例はページング処理方法、ネットワーク装置、ユーザ装置（ＵＥ）、及びコンピュータ記憶媒体を提供する。
【課題を解決するための手段】
【０００４】
本発明の実施例によるページング処理方法は、
ユーザ装置（ＵＥ）の端末タイプ、及び前記ＵＥの所在する位置に対応するセル識別子情報又は基地局識別子情報を取得することと、
前記ＵＥの端末タイプが静止タイプである場合、前記ＵＥの所在する位置に対応する前記セル識別子情報又は基地局識別子情報に基づいて、前記ＵＥに対するページング範囲を決定することと、を含む。
【０００５】
本発明の実施例によるページング処理方法は、
前記ＵＥの端末タイプ、及び前記ＵＥの所在する位置に対応するセル識別子情報又は基地局識別子情報をネットワーク側に報告することを含む。
【０００６】
本発明の実施例によるネットワーク装置は、
ユーザ装置（ＵＥ）の端末タイプ、及び前記ＵＥの所在する位置に対応するセル識別子情報又は基地局識別子情報を取得する第１通信ユニットと、
前記ＵＥの端末タイプが静止タイプである場合、前記ＵＥの所在する位置に対応する前記セル識別子情報又は基地局識別子情報に基づいて、前記ＵＥに対するページング範囲を決定する第１処理ユニットと、を備える。
【０００７】
本発明の実施例によるＵＥは、
前記ＵＥの端末タイプ、及び前記ＵＥの所在する位置に対応するセル識別子情報又は基地局識別子情報をネットワーク側に報告する第２通信ユニットを備える。
【０００８】
本発明の実施例によるネットワーク装置は、プロセッサ、及びプロセッサにおいて実行できるコンピュータプログラムを記憶するためのメモリを備え、
前記プロセッサは、前記コンピュータプログラムが実行される時、前述の方法のステップを実行することに用いられる。
【０００９】
本発明の実施例によるユーザ装置（ＵＥ）は、プロセッサ、及びプロセッサにおいて実行できるコンピュータプログラムを記憶するためのメモリを備え、
前記プロセッサは、前記コンピュータプログラムが実行される時、前述の方法のステップを実行することに用いられる。
【００１０】
本発明の実施例によるコンピュータ記憶媒体には、コンピュータ実行可能な命令が記憶され、前記コンピュータ実行可能な命令が実行される時、前述の方法ステップが実現される。
【発明の効果】
【００１１】
本発明の実施例の技術案によれば、端末タイプが静止端末であるＵＥに対して、ＵＥの所在する位置に対応するセル識別子情報又は基地局識別子情報に基づいて、前記ＵＥに対するページング範囲を決定することができる。これにより、一部の静止タイプの端末については、セル又は基地局の異なる範囲に対してページングを行ってもよく、ＵＥのタイプを問わずに一律に比較的に大きい範囲のページングを行うことによるリソースの浪費の問題を避け、ページング負荷の低減という目的に達することができる。
【図面の簡単な説明】
【００１２】
【図１】図１は本発明の実施例によるページング処理方法の模式的なフローチャートである。
【図２】図２は本発明の実施例のネットワーク装置の構成構造模式図である。
【図３】図３は本発明の実施例のＵＥの構成構造模式図である。
【図４】図４は本発明の実施例のハードウェアアーキテクチャの模式図である。
【発明を実施するための形態】
【００１３】
本発明の実施例の特徴と技術内容をより詳しく理解できるために、以下は図面を参照しながら本発明の実施例の実現について詳しく説明する。添付の図面は説明・参考のためのものに過ぎず、本発明の実施例を限定するためのものではない。
【００１４】
実施例１
本発明の実施例はページング処理方法を提供し、図１に示すように、前記方法は、
ユーザ装置（ＵＥ）の端末タイプ、及び前記ＵＥの所在する位置に対応するセル識別子情報又は基地局識別子情報を取得するステップ１０１と、
前記ＵＥの端末タイプが静止タイプである場合、前記ＵＥの所在する位置に対応する前記セル識別子情報又は基地局識別子情報に基づいて、前記ＵＥに対するページング範囲を決定するステップ１０２と、を含む。
【００１５】
本実施例による技術案はネットワーク側のネットワーク装置に適用でき、特にコアネットワークにおけるネットワーク装置に適用できる。
【００１６】
前記ＵＥの端末タイプは複数の区分方式を含んでもよく、例えば、静止タイプの端末と移動タイプの端末に区分されてもよく、当然ながら更に他のタイプの端末が存在してもよく、本実施例では網羅的な説明をしない。
【００１７】
以下は上記のステップについて詳しく説明する。
【００１８】
前述のステップ１０１において、前記ユーザ装置（ＵＥ）の端末タイプ、及び前記ＵＥの所在する位置に対応するセル識別子情報又は基地局識別子情報を取得することは、ＵＥの状態によって、複数の処理方式が存在してもよい。
【００１９】
方式１は、前記ＵＥがネットワークに初期登録する時に、前記ＵＥのアタッチ要求を通して前記ＵＥの端末タイプを取得し、そして前記アタッチ要求を通して前記ＵＥの所在する前記セル識別子情報又は基地局識別子情報を取得することを含む。
【００２０】
すなわち、ＵＥは初期登録を行う時に、ＵＥのタイプ及び所在するセル識別子情報又は基地局識別子情報をコアネットワークに報告する。
【００２１】
具体的に、ＵＥがネットワークに初期登録する時に、ＵＥはアタッチ要求において、端末タイプ（端末タイプについて、本実施例で注目するのは静止タイプの端末である）が「静止タイプ」端末であることを示し、同時に、ＵＥの現在所在するセル識別子情報又は基地局識別子情報を提示する。
【００２２】
それに対応して、コアネットワーク（特にコアネットワークにおけるネットワーク装置）は、前記ＵＥの端末タイプ、及び前記ＵＥの所在する位置に対応するセル識別子情報又は基地局識別子情報を、前記ＵＥのコンテキスト情報の一部情報として保存してもよい。
【００２３】
方式２は、前記ＵＥが位置更新を開始する時に、前記ＵＥの位置更新要求を通して前記ＵＥの端末タイプを取得し、そして前記位置更新要求を通して前記ＵＥの所在する前記セル識別子情報又は基地局識別子情報を取得する。
【００２４】
具体的に、ＵＥが位置更新を開始する時に、ＵＥは位置更新要求において、端末タイプ（端末タイプについて、本実施例で注目するのは静止タイプの端末である）が「静止タイプ」端末であることを示し、同時に、ＵＥの現在所在するセル識別子情報又は基地局識別子情報を提示する。
【００２５】
それに対応して、コアネットワーク（特にコアネットワークにおけるネットワーク装置）は、前記ＵＥの端末タイプ、及び前記ＵＥの所在する位置に対応するセル識別子情報又は基地局識別子情報を、前記ＵＥのコンテキスト情報の一部情報として保存してもよい。
【００２６】
方式３は、前記ＵＥがＲＲＣ接続を確立する時に、前記ＵＥの所在する基地局から送信された前記ＵＥの端末タイプ、及びＵＥの所在するセル識別子情報又は基地局識別子情報を受信し、前記基地局はＵＥから送信されたＲＲＣシグナリング又はＭＡＣ  ＣＥを通して前記端末タイプを取得し、そして前記ＵＥの所在するセル識別子情報又は基地局識別子情報を取得する。
【００２７】
すなわち、ＵＥはＲＲＣ接続を確立する間に、ＲＲＣシグナリング又はＭＡＣ  ＣＥを通してＵＥのタイプが静止端末タイプであることを基地局に報告し、基地局はＵＥが静止端末タイプであることを受信した後、ＵＥの所在するセル識別子情報又は基地局識別子情報、及びＵＥが静止タイプ端末であるという情報をコアネットワークに送信する。それに対応して、コアネットワーク（即ちネットワーク装置）は前記ＵＥの端末タイプ、及び前記ＵＥの所在する位置に対応するセル識別子情報又は基地局識別子情報を、前記ＵＥのコンテキスト情報の一部情報として保存する。
【００２８】
更に、前述のステップ１０２において、前記ＵＥの所在する位置に対応するセル識別子情報又は基地局識別子情報に基づいて、前記ＵＥに対するページング範囲を決定することについて、ＵＥが所在する位置を報告する方式にはセル識別子情報と基地局識別子情報という２つの方式があるため、それに対応して、以下の２つの処理が存在してもよい。
【００２９】
処理１については、記憶された識別子情報が前記セル識別子情報である場合、ページングの指示メッセージを送信するように前記セルの所在する基地局をトリガし、そして前記指示メッセージに前記セル識別子情報を含め、前記指示メッセージによって、前記セル識別子情報に対応するセルにおいてページングメッセージを送信するように前記基地局に指示することを含む。
【００３０】
処理２については、記憶された識別子情報が前記基地局識別子情報である場合、ページングをトリガする指示メッセージを前記基地局に送信し、ページングをトリガする前記指示メッセージは、全てのセルにおいてページングメッセージを送信するように前記基地局に指示することに用いられることを含む。
【００３１】
具体的に、コアネットワークは該静止タイプ端末をトリガするページングを受信した場合、ＵＥの所在するセル識別子情報又は基地局識別子情報を取得し、それから指定された基地局に送信して、ページングを送信するように基地局をトリガする。記憶されたのがセル識別子情報である場合、コアネットワークはページングを送信するように基地局をトリガするメッセージに該セル識別子情報を含め、そうすると、基地局は該示されたセルのみにおいてページングメッセージを送信する。記憶されたのが基地局識別子情報である場合、コアネットワークは該基地局識別子情報に基づいて、指定された基地局においてページングメッセージを送信するようにトリガし、そうすると、基地局は該基地局の全てのセルにおいてページングメッセージを送信する。
【００３２】
前述に加えて、ＵＥが更に行う、現在のセル又は基地局が変化したかどうかの検出について、そのような検出はＵＥ側によって実行されてもよい。
【００３３】
本実施例のネットワーク側の動作は、ＵＥがセル又は基地局の変化を再検出するかどうかの方式に対応して、タイマーを設定し、前記タイマーがタイムアウトすると、セル識別子情報が変化したかどうかを再検出するように前記ＵＥをトリガし、又は現在のセルに対応する基地局識別子情報が変化したかどうかを検出するように前記ＵＥをトリガする、ということであってもよい。
【００３４】
なお、本実施例において、タイマーの設定によって、セル識別子又は基地局識別子の変化に対するＵＥの再検出をトリガすることについて、それをネットワーク側に設定してもよく、当然ながら、ＵＥ側に設定してもよいが、本実施例ではネットワーク側の角度から説明する。
【００３５】
これから分かるように、上記技術案によれば、端末タイプが静止端末であるＵＥに対して、ＵＥの所在する位置に対応するセル識別子情報又は基地局識別子情報に基づいて、前記ＵＥに対するページング範囲を決定することができる。これにより、一部の静止タイプの端末については、セル又は基地局の異なる範囲に対してページングを行ってもよく、ＵＥのタイプを問わずに一律に比較的に大きい範囲のページングを行うことによるリソースの浪費の問題を避け、ページング負荷の低減という目的に達することができる。
【００３６】
実施例２
本発明の実施例はページング処理方法を提供し、前記ページング処理方法は、前記ＵＥの端末タイプ、及び前記ＵＥの所在する位置に対応するセル識別子情報又は基地局識別子情報をネットワーク側に報告することを含む。
【００３７】
本実施例による技術案は通信ネットワークにおけるユーザ装置（ＵＥ）に適用できる。それに対応して、前記ネットワーク側はネットワーク側の基地局、及びコアネットワークにおけるネットワーク装置の少なくとも１つを含んでもよい。
【００３８】
前記ＵＥの端末タイプは複数の区分方式を含んでもよく、例えば、静止タイプの端末と移動タイプの端末に区分されてもよく、当然ながら更に他のタイプの端末が存在してもよく、本実施例では網羅的な説明をしない。
【００３９】
以下は上記の処理について詳しく説明する。
【００４０】
前記ＵＥの端末タイプ、及び前記ＵＥの所在する位置に対応するセル識別子情報又は基地局識別子情報をネットワーク側に報告することは、
前記ＵＥがネットワークに初期登録する時に、前記ＵＥの端末タイプ、前記ＵＥの所在する位置に対応する前記セル識別子情報又は基地局識別子情報をアタッチ要求に追加することと、
前記アタッチ要求をネットワーク側に送信することと、を含む。
【００４１】
すなわち、ＵＥは初期登録を行う時に、ＵＥのタイプ及び所在するセル識別子情報又は基地局識別子情報をコアネットワークに報告する。
【００４２】
具体的に、ＵＥがネットワークに初期登録する時に、ＵＥはアタッチ要求において、端末タイプ（端末タイプについて、本実施例で注目するのは静止タイプの端末である）が「静止タイプ」端末であることを示し、同時に、ＵＥの現在所在するセル識別子情報又は基地局識別子情報を提示する。
【００４３】
それに対応して、コアネットワーク（特にコアネットワークにおけるネットワーク装置）は、前記ＵＥの端末タイプ、及び前記ＵＥの所在する位置に対応するセル識別子情報又は基地局識別子情報を、前記ＵＥのコンテキスト情報の一部情報として保存してもよい。
【００４４】
又は、前記ＵＥは位置更新を開始する時に、前記ＵＥの端末タイプ、前記ＵＥの所在する位置に対応する前記セル識別子情報又は基地局識別子情報を位置更新要求に追加し、前記位置更新要求をネットワーク側に送信する。ここでのネットワーク側はコアネットワークにおけるネットワーク装置であると考えてもよい。
【００４５】
又は、前記ＵＥはＲＲＣ接続を確立する時に、ＲＲＣシグナリング又はＭＡＣ  ＣＥを通して、端末タイプ、及び前記ＵＥの所在するセル識別子情報又は基地局識別子情報を基地局側に送信し、前記基地局は端末タイプ、及び前記ＵＥの所在するセル識別子情報又は基地局識別子情報を前記ネットワーク側に送信して保存させることに用いられる。
【００４６】
すなわち、ＵＥはＲＲＣ接続を確立する間に、ＲＲＣシグナリング又はＭＡＣ  ＣＥを通してＵＥのタイプが静止端末タイプであることを基地局に報告し、基地局はＵＥが静止端末タイプであることを受信した後、ＵＥの所在するセル識別子情報又は基地局識別子情報、及びＵＥが静止タイプ端末であるという情報をコアネットワークに送信する。それに対応して、コアネットワーク（即ちネットワーク装置）は前記ＵＥの端末タイプ、及び前記ＵＥの所在する位置に対応するセル識別子情報又は基地局識別子情報を、前記ＵＥのコンテキスト情報の一部情報として保存する。
【００４７】
前述に加えて、ＵＥが更に行う、現在のセル又は基地局が変化したかどうかの検出について、本実施例において、タイマーの設定によって、セル識別子又は基地局識別子の変化に対するＵＥの再検出をトリガすることについて、それをネットワーク側に設定してもよく、当然ながら、ＵＥ側に設定してもよいが、本実施例ではＵＥ側の角度から説明する。
【００４８】
本実施例では、ＵＥ側でのトリガに焦点を当て、タイマーを設定し、前記タイマーがタイムアウトすると、セル識別子情報が変化したかどうかを再検出するように前記ＵＥをトリガし、又は現在のセルに対応する基地局識別子情報が変化したかどうかを検出するように前記ＵＥをトリガする、ということであってもよい。
【００４９】
具体的に、ＵＥ側がセル又は基地局の更新後の識別子情報を再検出する方法は、
記憶されたのがセル識別子情報である場合、ＵＥは現在のセルのセル識別子情報と記憶されたセル識別子情報が異なることを検出すると、ＵＥは登録又は位置更新処理を再開始して更新後のセル識別子情報をネットワーク側に送信し、又は、ＲＲＣ接続を再開始して、ＵＥからの端末タイプ、及び更新後のセル識別子情報をネットワーク側に再送することを含む。
【００５０】
記憶されたのがセル識別子情報である場合、ＵＥは現在のセルのセル識別子と以前に記憶されたセル識別子情報が異なることを検出して発見すると、登録又は位置更新を再開始するようにＵＥをトリガし、新しいセル識別子情報をコアネットワークに送信して保存させ、又は、ＵＥは現在のセルのセル識別子と以前に記憶されたセル識別子情報が異なることを検出して発見すると、ＲＲＣ接続を再開始して、「静止タイプ」端末を基地局に報告し、ＵＥのセル識別子情報をコアネットワークに再送して記憶させるようにｇＮＢをトリガする。
【００５１】
記憶されたのが基地局識別子情報である場合、ＵＥは現在の基地局の基地局識別子情報と記憶された基地局識別子情報が異なることを検出すると、登録又は位置更新処理を再開始して更新後の基地局識別子情報をネットワーク側に送信し、又は、ＲＲＣ接続を再開始して、端末タイプ、及び更新後の基地局識別子情報をネットワーク側に再送する。
【００５２】
即ち、記憶されたのが基地局識別子情報である場合、ＵＥは現在のセルに対応する基地局識別子と以前に記憶された基地局識別子情報が異なることを検出して発見すると、登録又は位置更新を再開始するようにＵＥをトリガし、新しい基地局識別子情報をコアネットワークに送信して保存させ、又は、記憶されたのが基地局識別子情報である場合、ＵＥは現在のセルに対応する基地局識別子と以前に記憶された基地局識別子情報が異なることを検出して発見すると、ＲＲＣ接続を再開始して、「静止タイプ」端末を基地局に報告し、ＵＥの基地局識別子情報をコアネットワークに再送して記憶させるようにｇＮＢをトリガする。
【００５３】
これから分かるように、上記技術案によれば、端末タイプが静止端末であるＵＥに対して、ＵＥの所在する位置に対応するセル識別子情報又は基地局識別子情報に基づいて、前記ＵＥに対するページング範囲を決定することができる。これにより、一部の静止タイプの端末については、セル又は基地局の異なる範囲に対してページングを行ってもよく、ＵＥのタイプを問わずに一律に比較的に大きい範囲のページングを行うことによるリソースの浪費の問題を避け、ページング負荷の低減という目的に達することができる。
【００５４】
実施例３
本発明の実施例はネットワーク装置を提供し、図２に示すように、前記ネットワーク装置は、
ユーザ装置（ＵＥ）の端末タイプ、及び前記ＵＥの所在する位置に対応するセル識別子情報又は基地局識別子情報を取得する第１通信ユニット２１と、
前記ＵＥの端末タイプが静止タイプである場合、前記ＵＥの所在する位置に対応する前記セル識別子情報又は基地局識別子情報に基づいて、前記ＵＥに対するページング範囲を決定する第１処理ユニット２２と、を備える。
【００５５】
本実施例による技術案はネットワーク側のネットワーク装置に適用でき、特にコアネットワークにおけるネットワーク装置に適用できる。
【００５６】
前記ＵＥの端末タイプは複数の区分方式を含んでもよく、例えば、静止タイプの端末と移動タイプの端末に区分されてもよく、当然ながら更に他のタイプの端末が存在してもよく、本実施例では網羅的な説明をしない。
【００５７】
以下は上記のステップについて詳しく説明する。
【００５８】
前記ユーザ装置（ＵＥ）の端末タイプ、及び前記ＵＥの所在する位置に対応するセル識別子情報又は基地局識別子情報を取得することは、ＵＥの状態によって、複数の処理方式が存在してもよい。
【００５９】
方式１は、第１通信ユニット２１は、前記ＵＥがネットワークに初期登録する時に、前記ＵＥのアタッチ要求を通して前記ＵＥの端末タイプを取得し、そして前記アタッチ要求を通して前記ＵＥの所在する前記セル識別子情報又は基地局識別子情報を取得することを含む。
【００６０】
すなわち、ＵＥは初期登録を行う時に、ＵＥのタイプ及び所在するセル識別子情報又は基地局識別子情報をコアネットワークに報告する。
【００６１】
具体的に、ＵＥがネットワークに初期登録する時に、ＵＥはアタッチ要求において、端末タイプ（端末タイプについて、本実施例で注目するのは静止タイプの端末である）が「静止タイプ」端末であることを示し、同時に、ＵＥの現在所在するセル識別子情報又は基地局識別子情報を提示する。
【００６２】
それに対応して、コアネットワーク（特にコアネットワークにおけるネットワーク装置）は、前記ＵＥの端末タイプ、及び前記ＵＥの所在する位置に対応するセル識別子情報又は基地局識別子情報を、前記ＵＥのコンテキスト情報の一部情報として保存してもよい。
【００６３】
方式２は、第１通信ユニット２１は、前記ＵＥが位置更新を開始する時に、位置更新要求を通して前記ＵＥの端末タイプを取得し、そして前記位置更新要求を通して前記ＵＥの所在する前記セル識別子情報又は基地局識別子情報を取得する。
【００６４】
具体的に、ＵＥが位置更新を開始する時に、ＵＥは位置更新要求において、端末タイプ（端末タイプについて、本実施例で注目するのは静止タイプの端末である）が「静止タイプ」端末であることを示し、同時に、ＵＥの現在所在するセル識別子情報又は基地局識別子情報を提示する。
【００６５】
それに対応して、コアネットワーク（特にコアネットワークにおけるネットワーク装置）は、前記ＵＥの端末タイプ、及び前記ＵＥの所在する位置に対応するセル識別子情報又は基地局識別子情報を、前記ＵＥのコンテキスト情報の一部情報として保存してもよい。
【００６６】
方式３は、第１通信ユニット２１は、前記ＵＥがＲＲＣ接続を確立する時に、前記ＵＥの所在する基地局から送信された前記ＵＥの端末タイプ、及びＵＥの所在するセル識別子情報又は基地局識別子情報を受信し、前記基地局はＵＥから送信されたＲＲＣシグナリング又はＭＡＣ  ＣＥを通して前記端末タイプを取得し、そして前記ＵＥの所在するセル識別子情報又は基地局識別子情報を取得する。
【００６７】
すなわち、ＵＥはＲＲＣ接続を確立する間に、ＲＲＣシグナリング又はＭＡＣ  ＣＥを通してＵＥのタイプが静止端末タイプであることを基地局に報告し、基地局はＵＥが静止端末タイプであることを受信した後、ＵＥの所在するセル識別子情報又は基地局識別子情報、及びＵＥが静止タイプ端末であるという情報をコアネットワークに送信する。それに対応して、コアネットワーク（即ちネットワーク装置）は前記ＵＥの端末タイプ、及び前記ＵＥの所在する位置に対応するセル識別子情報又は基地局識別子情報を、前記ＵＥのコンテキスト情報の一部情報として保存する。
【００６８】
更に、前記ＵＥの所在する位置に対応するセル識別子情報又は基地局識別子情報に基づいて、前記ＵＥに対するページング範囲を決定することについて、ＵＥが所在する位置を報告する方式にはセル識別子情報と基地局識別子情報という２つの方式があるため、それに対応して、以下の２つの処理が存在してもよい。
【００６９】
処理１については、第１処理ユニット２２は、記憶された識別子情報が前記セル識別子情報である場合、ページングの指示メッセージを送信するように前記セルの所在する基地局をトリガし、そして前記指示メッセージに前記セル識別子情報を含め、前記指示メッセージによって、前記セル識別子情報に対応するセルにおいてページングメッセージを送信するように前記基地局に指示する。
【００７０】
処理２については、第１処理ユニット２２は、記憶された識別子情報が前記基地局識別子情報である場合、ページングをトリガする指示メッセージを前記基地局に送信し、ページングをトリガする前記指示メッセージは、全てのセルにおいてページングメッセージを送信するように前記基地局に指示することに用いられる。
【００７１】
具体的に、コアネットワークは該静止タイプ端末をトリガするページングを受信した場合、ＵＥの所在するセル識別子情報又は基地局識別子情報を取得し、それから指定された基地局に送信して、ページングを送信するように基地局をトリガする。記憶されたのがセル識別子情報である場合、コアネットワークはページングを送信するように基地局をトリガするメッセージに該セル識別子情報を含め、そうすると、基地局は該示されたセルのみにおいてページングメッセージを送信する。記憶されたのが基地局識別子情報である場合、コアネットワークは該基地局識別子情報に基づいて、指定された基地局においてページングメッセージを送信するようにトリガし、そうすると、基地局は該基地局の全てのセルにおいてページングメッセージを送信する。
【００７２】
前述に加えて、ＵＥが更に行う、現在のセル又は基地局が変化したかどうかの検出について、そのような検出はＵＥ側によって実行されてもよい。
【００７３】
本実施例のネットワーク側の動作は、ＵＥがセル又は基地局の変化を再検出するかどうかの方式に対応して、第１処理ユニット２２がタイマーを設定し、前記タイマーがタイムアウトすると、セル識別子情報が変化したかどうかを再検出するように前記ＵＥをトリガし、又は現在のセルに対応する基地局識別子情報が変化したかどうかを検出するように前記ＵＥをトリガする、ということであってもよい。
【００７４】
なお、本実施例における、タイマーの設定によって、セル識別子又は基地局識別子の変化に対するＵＥの再検出をトリガすることについて、それをネットワーク側に設定してもよく、当然ながら、ＵＥ側に設定してもよいが、本実施例ではネットワーク側の角度から説明する。
【００７５】
これから分かるように、上記技術案によれば、端末タイプが静止端末であるＵＥに対して、ＵＥの所在する位置に対応するセル識別子情報又は基地局識別子情報に基づいて、前記ＵＥに対するページング範囲を決定することができる。これにより、一部の静止タイプの端末については、セル又は基地局の異なる範囲に対してページングを行ってもよく、ＵＥのタイプを問わずに一律に比較的に大きい範囲のページングを行うことによるリソースの浪費の問題を避け、ページング負荷の低減という目的に達することができる。
【００７６】
実施例４
本発明の実施例はＵＥを提供し、図３に示すように、前記ＵＥは、
前記ＵＥの端末タイプ、及び前記ＵＥの所在する位置に対応するセル識別子情報又は基地局識別子情報をネットワーク側に報告する第２通信ユニット３１を備える。
【００７７】
本実施例による技術案は通信ネットワークにおけるユーザ装置（ＵＥ）に適用できる。それに対応して、前記ネットワーク側はネットワーク側の基地局、及びコアネットワークにおけるネットワーク装置の少なくとも１つを含んでもよい。
【００７８】
前記ＵＥの端末タイプは複数の区分方式を含んでもよく、例えば、静止タイプの端末と移動タイプの端末に区分されてもよく、当然ながら更に他のタイプの端末が存在してもよく、本実施例では網羅的な説明をしない。
【００７９】
以下は上記の処理について詳しく説明する。
【００８０】
前記ＵＥの端末タイプ、及び前記ＵＥの所在する位置に対応するセル識別子情報又は基地局識別子情報をネットワーク側に報告することについて、具体的に、
前記ＵＥは更に、
ネットワークに初期登録する時に、前記ＵＥの端末タイプ、前記ＵＥの所在する位置に対応する前記セル識別子情報又は基地局識別子情報をアタッチ要求に追加する第２処理ユニット３２を備え、
前記第２通信ユニット３１は前記アタッチ要求をネットワーク側に送信する。すなわち、ＵＥは初期登録を行う時に、ＵＥのタイプ及び所在するセル識別子情報又は基地局識別子情報をコアネットワークに報告する。
【００８１】
具体的に、ＵＥがネットワークに初期登録する時に、ＵＥはアタッチ要求において、端末タイプ（端末タイプについて、本実施例で注目するのは静止タイプの端末である）が「静止タイプ」端末であることを示し、同時に、ＵＥの現在所在するセル識別子情報又は基地局識別子情報を提示する。
【００８２】
それに対応して、コアネットワーク（特にコアネットワークにおけるネットワーク装置）は、前記ＵＥの端末タイプ、及び前記ＵＥの所在する位置に対応するセル識別子情報又は基地局識別子情報を、前記ＵＥのコンテキスト情報の一部情報として保存してもよい。
【００８３】
又は、第２処理ユニット３２は、位置更新を開始する時に、前記ＵＥの端末タイプ、前記ＵＥの所在する位置に対応する前記セル識別子情報又は基地局識別子情報を位置更新要求に追加し、前記第２通信ユニット３１は前記位置更新要求をネットワーク側に送信する。
【００８４】
又は、前記第２通信ユニット３１は、前記ＵＥがＲＲＣ接続を確立する時に、ＲＲＣシグナリング又はＭＡＣ  ＣＥを通して、端末タイプ、及び前記ＵＥの所在するセル識別子情報又は基地局識別子情報を基地局側に送信し、前記基地局は端末タイプ、及び前記ＵＥの所在するセル識別子情報又は基地局識別子情報を前記ネットワーク側に送信して保存させることに用いられる。
【００８５】
すなわち、ＵＥはＲＲＣ接続を確立する間に、ＲＲＣシグナリング又はＭＡＣ  ＣＥを通してＵＥのタイプが静止端末タイプであることを基地局に報告し、基地局はＵＥが静止端末タイプであることを受信した後、ＵＥの所在するセル識別子情報又は基地局識別子情報、及びＵＥが静止タイプ端末であるという情報をコアネットワークに送信する。それに対応して、コアネットワーク（即ちネットワーク装置）は前記ＵＥの端末タイプ、及び前記ＵＥの所在する位置に対応するセル識別子情報又は基地局識別子情報を、前記ＵＥのコンテキスト情報の一部情報として保存する。
【００８６】
前述に加えて、ＵＥが更に行う、現在のセル又は基地局が変化したかどうかの検出について、本実施例において、タイマーの設定によって、セル識別子又は基地局識別子の変化に対するＵＥの再検出をトリガすることについて、それをネットワーク側に設定してもよく、当然ながら、ＵＥ側に設定してもよいが、本実施例ではＵＥ側の角度から説明する。
【００８７】
本実施例では、ＵＥ側でのトリガに焦点を当て、タイマーを設定し、前記タイマーがタイムアウトすると、セル識別子情報が変化したかどうかを再検出するように前記ＵＥをトリガし、又は現在のセルに対応する基地局識別子情報が変化したかどうかを検出するように前記ＵＥをトリガする、ということであってもよい。
【００８８】
具体的に、ＵＥ側がセル又は基地局の更新後の識別子情報を再検出することは、
第２処理ユニット３２が、記憶されたのがセル識別子情報である場合、現在のセルのセル識別子情報と記憶されたセル識別子情報が異なることを検出すると、登録又は位置更新処理を再開始し、第２通信ユニットを通してネットワーク側に更新後のセル識別子情報を送信し、又は、ＲＲＣ接続を再開始して、第２通信ユニットを通して端末タイプ、及び更新後のセル識別子情報をネットワーク側に再送することを含む。
【００８９】
記憶されたのがセル識別子情報である場合、ＵＥは現在のセルのセル識別子と以前に記憶されたセル識別子情報が異なることを検出して発見すると、登録又は位置更新を再開始するようにＵＥをトリガし、新しいセル識別子情報をコアネットワークに送信して保存させ、又は、ＵＥは現在のセルのセル識別子と以前に記憶されたセル識別子情報が異なることを検出して発見すると、ＲＲＣ接続を再開始して、「静止タイプ」端末を基地局に報告し、ＵＥのセル識別子情報をコアネットワークに再送して記憶させるようにｇＮＢをトリガする。
【００９０】
第２処理ユニットは、記憶されたのが基地局識別子情報である場合、現在の基地局の基地局識別子情報と記憶された基地局識別子情報が異なることを検出すると、登録又は位置更新処理を再開始し、第２通信ユニットを通してネットワーク側に更新後の基地局識別子情報を送信し、又は、ＲＲＣ接続を再開始して、第２通信ユニットを通して端末タイプ、及び更新後の基地局識別子情報をネットワーク側に再送する。
【００９１】
即ち、記憶されたのが基地局識別子情報である場合、ＵＥは現在のセルに対応する基地局識別子と以前に記憶された基地局識別子情報が異なることを検出して発見すると、登録又は位置更新を再開始するようにＵＥをトリガし、新しい基地局識別子情報をコアネットワークに送信して保存させ、又は、記憶されたのが基地局識別子情報である場合、ＵＥは現在のセルに対応する基地局識別子と以前に記憶された基地局識別子情報が異なることを検出して発見すると、ＲＲＣ接続を再開始して、「静止タイプ」端末を基地局に報告し、ＵＥの基地局識別子情報をコアネットワークに再送して記憶させるようにｇＮＢをトリガする。
【００９２】
これから分かるように、上記技術案によれば、端末タイプが静止端末であるＵＥに対して、ＵＥの所在する位置に対応するセル識別子情報又は基地局識別子情報に基づいて、前記ＵＥに対するページング範囲を決定することができる。これにより、一部の静止タイプの端末については、セル又は基地局の異なる範囲に対してページングを行ってもよく、ＵＥのタイプを問わずに一律に比較的に大きい範囲のページングを行うことによるリソースの浪費の問題を避け、ページング負荷の低減という目的に達することができる。
【００９３】
本発明の実施例は更にユーザ装置、又は受信側装置のハードウェア構成アーキテクチャを提供し、図４に示すように、前記ハードウェア構成アーキテクチャは、少なくとも１つのプロセッサ４１、メモリ４２、少なくとも１つのネットワークインタフェース４３を備える。各構成要素はバスシステム４４によって結合される。理解できるように、バスシステム４４はこれらの構成要素間の接続・通信を実現することに用いられる。バスシステム４４はデータバスを含む他、更に電源バス、制御バス及び状態信号バスを含む。しかし、明確に説明するために、図４では様々なバスを全てバスシステム４４と表記する。
【００９４】
理解できるように、本発明の実施例におけるメモリ４２は揮発性メモリ又は不揮発性メモリであってもよく、又は、揮発性と不揮発性メモリの両方を含んでもよい。
【００９５】
幾つかの実施形態では、メモリ４２には、オペレーティングシステム４２１及びアプリケーション４２２という要素、実行可能なモジュール又はデータ構造、又はこれらのサブセット、又はこれらの拡張セットが記憶される。
【００９６】
前記プロセッサ４１は前述の実施例１又は２の方法ステップを処理できるように設定され、ここでは繰り返して説明しない。
【００９７】
本発明の実施例はコンピュータ記憶媒体を提供し、前記コンピュータ記憶媒体にはコンピュータ実行可能な命令が記憶され、前記コンピュータ実行可能な命令が実行される時、前述の実施例１又は２の方法ステップが実行される。
【００９８】
本発明の実施例の上記装置はソフトウェア機能モジュールの形式で実現されて独立した製品として販売又は使用される場合、１つのコンピュータ読み取り可能な記憶媒体に記憶されてもよい。このような理解に基づいて、本発明の実施例の技術案の本質的な部分、又は従来技術に貢献する部分はソフトウェア製品の形式で具現でき、該コンピュータソフトウェア製品は１つの記憶媒体に記憶され、１台のコンピュータ装置（パーソナルコンピュータ、サーバ、又はネットワーク装置等であってもよい）に本発明の各実施例に記載の方法の全部又は一部を実行させるための若干の命令を含む。前述の記憶媒体は、ＵＳＢディスク、リムーバブルハードディスク、読み出し専用メモリ（ＲＯＭ、Ｒｅａｄ  Ｏｎｌｙ  Ｍｅｍｏｒｙ）、磁気ディスク又は光ディスク等の、プログラムコードを記憶できる各種の媒体を含む。このように、本発明の実施例は如何なる特定のハードウェアとソフトウェアの組み合わせにも制限されない。
【００９９】
それに対応して、本発明の実施例は更に、コンピュータプログラムが記憶されるコンピュータ記憶媒体を提供し、該コンピュータプログラムは本発明の実施例のデータスケジューリング方法を実行するように設定される。
【０１００】
例示のために、本発明の好適な実施例を開示したが、当業者は各種の改善、追加、置換を意識することが可能であり、従って、本発明の範囲は上記の実施例に制限されないとすべきである。
【図１】
2021511738.tif 000003
【図２】
2021511738.tif 000004
【図３】
2021511738.tif 000005
【図４】
2021511738.tif 000006
【手続補正書】
【提出日】令和2年7月21日(2020.7.21)
【手続補正１】
【補正対象書類名】明細書
【補正対象項目名】００９９
【補正方法】変更
【補正の内容】
【００９９】
それに対応して、本発明の実施例は更に、コンピュータプログラムが記憶されるコンピュータ記憶媒体を提供し、該コンピュータプログラムは本発明の実施例のページング処理方法を実行するように設定される。
【手続補正２】
【補正対象書類名】特許請求の範囲
【補正対象項目名】全文
【補正方法】変更
【補正の内容】
【特許請求の範囲】
【請求項１】
ページング処理方法であって、
ユーザ装置（ＵＥ）の端末タイプ、及び前記ＵＥの所在する位置に対応するセル識別子情報又は基地局識別子情報を取得することと、
前記ＵＥの端末タイプが静止タイプである場合、前記ＵＥの所在する位置に対応する前記セル識別子情報又は基地局識別子情報に基づいて、前記ＵＥに対するページング範囲を決定することと、を含むページング処理方法。
【請求項２】
前記ユーザ装置（ＵＥ）の端末タイプ、及び前記ＵＥの所在する位置に対応するセル識別子情報又は基地局識別子情報を取得することは、
前記ＵＥがＲＲＣ接続を確立する時に、前記ＵＥの所在する基地局から送信された前記ＵＥの端末タイプ、及びＵＥの所在するセル識別子情報又は基地局識別子情報を受信し、前記基地局はＵＥから送信されたＲＲＣシグナリング又はＭＡＣ  ＣＥを通して前記端末タイプを取得し、そして前記ＵＥの所在するセル識別子情報又は基地局識別子情報を取得することを含む請求項１に記載の方法。
【請求項３】
前記ＵＥの所在する位置に対応するセル識別子情報又は基地局識別子情報に基づいて、前記ＵＥに対するページング範囲を決定することは、
記憶された識別子情報が前記セル識別子情報である場合、ページングの指示メッセージを送信するように前記セルの所在する基地局をトリガし、そして前記指示メッセージに前記セル識別子情報を含め、前記指示メッセージによって、前記セル識別子情報に対応するセルにおいてページングメッセージを送信するように前記基地局に指示することを含む請求項１に記載の方法。
【請求項４】
ページング処理方法であって、
ＵＥの端末タイプ、及び前記ＵＥの所在する位置に対応するセル識別子情報又は基地局識別子情報をネットワーク側に報告することを含むページング処理方法。
【請求項５】
前記ＵＥの端末タイプ、及び前記ＵＥの所在する位置に対応するセル識別子情報又は基地局識別子情報をネットワーク側に報告することは、
前記ＵＥがネットワークに初期登録する時に、前記ＵＥの端末タイプ、前記ＵＥの所在する位置に対応する前記セル識別子情報又は基地局識別子情報をアタッチ要求に追加することと、
前記アタッチ要求をネットワーク側に送信することと、を含む請求項４に記載の方法。
【請求項６】
前記ＵＥの端末タイプ、及び前記ＵＥの所在する位置に対応するセル識別子情報又は基地局識別子情報をネットワーク側に報告することは、
前記ＵＥが位置更新を開始する時に、前記ＵＥの端末タイプ、前記ＵＥの所在する位置に対応する前記セル識別子情報又は基地局識別子情報を位置更新要求に追加することと、
前記位置更新要求をネットワーク側に送信することと、を含む請求項４に記載の方法。
【請求項７】
前記ＵＥの端末タイプ、及び前記ＵＥの所在する位置に対応するセル識別子情報又は基地局識別子情報をネットワーク側に報告することは、
前記ＵＥがＲＲＣ接続を確立する時に、ＲＲＣシグナリング又はＭＡＣ  ＣＥを通して、端末タイプ、及び前記ＵＥの所在するセルのセル識別子情報又は基地局識別子情報を基地局側に送信し、基地局は端末タイプ、及び前記ＵＥの所在するセルのセル識別子情報又は基地局識別子情報を前記ネットワーク側に送信して保存させることに用いられることを含む請求項４に記載の方法。
【請求項８】
前記方法は更に、
記憶されたのがセル識別子情報である場合、ＵＥは現在セルのセル識別子情報と記憶されたセル識別子情報が異なることを検出すると、ＵＥが登録又は位置更新処理を再開始して更新後のセル識別子情報をネットワーク側に送信し、又は、ＲＲＣ接続を再開始して、端末タイプ、及び更新後のセル識別子情報をネットワーク側に再送することを含む請求項４に記載の方法。
【請求項９】
前記方法は更に、
記憶されたのが基地局識別子情報である場合、ＵＥは現在基地局の基地局識別子情報と記憶された基地局識別子情報が異なることを検出すると、登録又は位置更新処理を再開始して更新後の基地局識別子情報をネットワーク側に送信し、又は、ＲＲＣ接続を再開始して、端末タイプ、及び更新後の基地局識別子情報をネットワーク側に再送することを含む請求項４に記載の方法。
【請求項１０】
ネットワーク装置であって、
ユーザ装置（ＵＥ）の端末タイプ、及び前記ＵＥの所在する位置に対応するセル識別子情報又は基地局識別子情報を取得することに用いられる第１通信ユニットと、
前記ＵＥの端末タイプが静止タイプである場合、前記ＵＥの所在する位置に対応する前記セル識別子情報又は基地局識別子情報に基づいて、前記ＵＥに対するページング範囲を決定することに用いられる第１処理ユニットと、を備えるネットワーク装置。
【請求項１１】
ＵＥであって、
前記ＵＥの端末タイプ、及び前記ＵＥの所在する位置に対応するセル識別子情報又は基地局識別子情報をネットワーク側に報告することに用いられる第２通信ユニットを備えるＵＥ。
【請求項１２】
前記ＵＥは更に、
ネットワークに初期登録する時に、前記ＵＥの端末タイプ、前記ＵＥの所在する位置に対応する前記セル識別子情報又は基地局識別子情報をアタッチ要求に追加することに用いられる第２処理ユニットを備え、
前記第２通信ユニットは前記アタッチ要求をネットワーク側に送信することに用いられる請求項１１に記載のＵＥ。
【請求項１３】
前記ＵＥは更に、
位置更新を開始する時に、前記ＵＥの端末タイプ、前記ＵＥの所在する位置に対応する前記セル識別子情報又は基地局識別子情報を位置更新要求に追加することに用いられる第２処理ユニットを備え、
前記第２通信ユニットは前記位置更新要求をネットワーク側に送信することに用いられる請求項１１に記載のＵＥ。
【請求項１４】
前記第２通信ユニットは、ＲＲＣ接続を確立する時に、ＲＲＣシグナリング又はＭＡＣ  ＣＥを通して、端末タイプ、及び前記ＵＥの所在するセルのセル識別子情報又は基地局識別子情報を基地局側に送信することに用いられ、基地局は端末タイプ、及び前記ＵＥの所在するセルのセル識別子情報又は基地局識別子情報を前記ネットワーク側に送信して保存させることに用いられる請求項１１に記載のＵＥ。
【請求項１５】
前記ＵＥは更に、
記憶されたのがセル識別子情報である場合、現在セルのセル識別子情報と記憶されたセル識別子情報が異なることを検出すると、登録又は位置更新処理を再開始し、第２通信ユニットを通してネットワーク側に更新後のセル識別子情報を送信し、又は、ＲＲＣ接続を再開始して、第２通信ユニットを通して端末タイプ、及び更新後のセル識別子情報をネットワーク側に再送することに用いられる第２処理ユニットを備える請求項１１に記載のＵＥ。
【請求項１６】
前記ＵＥは更に、
記憶されたのが基地局識別子情報である場合、現在基地局の基地局識別子情報と記憶された基地局識別子情報が異なることを検出すると、登録又は位置更新処理を再開始し、第２通信ユニットを通してネットワーク側に更新後の基地局識別子情報を送信し、又は、ＲＲＣ接続を再開始して、第２通信ユニットを通して端末タイプ、及び更新後の基地局識別子情報をネットワーク側に再送することに用いられる第２処理ユニットを備える請求項１１に記載のＵＥ。
【請求項１７】
前記第２処理ユニットは、タイマーを設定し、前記タイマーがタイムアウトすると、セル識別子情報が変化したかどうかを再検出するように前記ＵＥをトリガし、又は現在のセルに対応する基地局識別子情報が変化したかどうかを検出するように前記ＵＥをトリガすることに用いられる請求項１５又は１６に記載のＵＥ。
【国際調査報告】
2021511738.tif 000007
2021511738.tif 000008
2021511738.tif 000009
2021511738.tif 000010